(57)【特許請求の範囲】
【請求項１】
ハンダ線がロール状に巻回された、ボビン付のハンダ線コイルとボビン無しのハンダ線コイルとで共用されるハンダ保持具であって、
円筒形状を有する容器本体部と、
前記容器本体部の一端側の開口部を閉塞する第一閉塞部と、
前記容器本体部の他端側の開口部を閉塞する第二閉塞部とを備え、
前記第一及び第二閉塞部のうち少なくとも一方の略中央部には、前記容器本体部の内部空間と外部空間とを連通させ、前記ボビン無しのハンダ線コイルの中空部から繰り出されるハンダ線を外部へ引き出すための貫通孔が形成され、
前記容器本体部には、前記容器本体部の軸方向に長尺の形状を有し、前記容器本体部の内部空間と外部空間とを連通させ、前記ボビン付のハンダ線コイルの外周から繰り出されるハンダ線を外部へ引き出すための長孔が形成されているハンダ保持具。
【請求項２】
前記長孔の長さは、前記ハンダ線コイルの長さ以上である請求項１記載のハンダ保持具。
【請求項３】
前記容器本体部の両端近傍の内面には、摩擦を低減するための摩擦低減部材が周方向に沿って帯状に延在する請求項１又は２に記載のハンダ保持具。
【請求項４】
前記摩擦低減部材はフッ素樹脂のシートである請求項３記載のハンダ保持具。
【請求項５】
前記第一閉塞部と前記第二閉塞部とのうち少なくとも一方は、前記容器本体部に対して脱着可能に構成されている請求項１〜４のいずれか１項に記載のハンダ保持具。
【請求項６】
前記容器本体部は、透光性を有する請求項１〜５のいずれか１項に記載のハンダ保持具。
【請求項７】
前記ハンダ保持具が取り付けられる対象物に前記ハンダ保持具を取り付けるための取付部材をさらに備える請求項１〜６のいずれか１項に記載のハンダ保持具。
【請求項８】
請求項７記載のハンダ保持具と、
前記取付部材によって前記ハンダ保持具が取り付けられた支柱と、
前記支柱を直立させて支持する脚部とを備えたハンダ保持スタンド。
【請求項９】
請求項１〜７のいずれか１項に記載のハンダ保持具と、
前記ハンダ保持具を支持する支柱と、
前記ハンダ保持具を、前記軸方向を略鉛直にする鉛直姿勢と、前記軸方向を水平にする水平姿勢とに切り替え可能に前記支柱に取り付ける取付機構と、
前記支柱を直立させて支持する脚部とを備えたハンダ保持スタンド。
【発明の詳細な説明】
【技術分野】
【０００１】
本発明は、ハンダ線がロール状に巻回されたハンダ線コイルを収容するためのハンダ保持具、及びこのハンダ保持具を支持するハンダ保持スタンドに関する。
【背景技術】
【０００２】
従来より、ハンダ線（糸ハンダ）をボビンに巻き取ったハンダ線コイルを、ボビンからハンダ線を繰り出し可能に保持する保持手段と、この保持手段に保持されたハンダ線を加熱ごてに送り出す繰出し手段とを備えた糸ハンダ送出装置が知られている（例えば、特許文献１参照。）。この糸ハンダ送出装置は、ボビンを回転可能に保持する必要があるため、シャフトをボビンに差し込んでボビンを保持する構成とされている。一方、ボビンを用いず、ハンダ線がロール状に巻き回されたハンダ線コイル（ハンダ線ボビンレスコイル）が知られている（例えば、特許文献２参照。）。
【先行技術文献】
【特許文献】
【０００３】
【特許文献１】特開２００１−３１４９６２号公報
【特許文献２】特開２００１−８８８８２号公報
【発明の概要】
【発明が解決しようとする課題】
【０００４】
ところで、特許文献１に記載の糸ハンダ送出装置の保持手段は、ボビンにシャフトを差し込む必要があるため、特許文献２に記載のボビンを備えないハンダ線コイルを保持することができない。そのため、ボビン付のハンダ線コイルを用いる場合と、ボビン無しのハンダ線コイルを用いる場合とで、ハンダ線コイルの保持手段を変更しなければならないという、不都合があった。
【０００５】
本発明の目的は、ボビン付のハンダ線コイルとボビン無しのハンダ線コイルとで共用することができるハンダ保持具、及びこのハンダ保持具を支持するハンダ保持スタンドを提供することである。
【課題を解決するための手段】
【０００６】
本発明に係るハンダ保持具は、ハンダ線がロール状に巻回されたハンダ線コイルを保持するためのハンダ保持具であって、円筒形状を有する容器本体部と、前記容器本体部の一端側の開口部を閉塞する第一閉塞部と、前記容器本体部の他端側の開口部を閉塞する第二閉塞部とを備え、前記第一及び第二閉塞部のうち少なくとも一方の略中央部には、前記容器本体部の内部空間と外部空間とを連通させる貫通孔が形成され、前記容器本体部には、前記容器本体部の軸方向に長尺の形状を有し、前記容器本体部の内部空間と外部空間とを連通させる長孔が形成されている。
【０００７】
この構成によれば、ハンダ保持具は、円筒形状を有する容器本体部と、容器本体部の一端側の開口部を閉塞する第一閉塞部と、容器本体部の他端側の開口部を閉塞する第二閉塞部とを備えているので、ボビン付のハンダ線コイルとボビン無しのハンダ線コイルのいずれであっても、ハンダ保持具内に収容することが可能である。そして、第一及び第二閉塞部のうち少なくとも一方の略中央部には、容器本体部の内部空間と外部空間とを連通させる貫通孔が形成されているので、ハンダ保持具内にボビン無しのハンダ線コイルを収容した場合には、ボビン無しのハンダ線コイルの中空部から繰り出されたハンダ線を、前記少なくとも一方の閉塞部に形成された貫通孔を通してハンダ保持具の外部へ引き出すことができる。また、容器本体部には、容器本体部の内部空間と外部空間とを連通させる長孔が形成されているので、ハンダ保持具内にボビン付のハンダ線コイルを収容した場合には、ボビン付のハンダ線コイルの外周から繰り出されたハンダ線を、容器本体部の長孔を通してハンダ保持具の外部へ引き出すことができる。さらにこの長孔は、容器本体部の軸方向に長尺の形状を有しているので、ハンダ線の繰り出しに応じて繰り出し位置が軸方向に沿って移動した場合であっても、円滑にハンダ線を繰り出すことが可能となる。従って、このようなハンダ保持具は、ボビン付のハンダ線コイルとボビン無しのハンダ線コイルとで共用することができる。
【０００８】
また、前記長孔の長さは、前記ハンダ線コイルの長さ以上であることが好ましい。
【０００９】
この構成によれば、ハンダ線の繰り出しに応じて繰り出し位置が軸方向に沿って移動した場合であっても、ハンダ線コイルの長さ方向全域に渡って、長孔を通して円滑にハンダ線を繰り出すことが可能となる。
【００１０】
また、前記容器本体部の両端近傍の内面には、摩擦を低減するための摩擦低減部材が周方向に沿って帯状に延在することが好ましい。
【００１１】
この構成によれば、ハンダ保持具内にボビン付のハンダ線コイルを収容してハンダ保持具の軸方向を水平にした場合、ボビンの鍔部が摩擦低減部材と摺動し、このときの摩擦が摩擦低減部材によって低減される。その結果、ハンダ線の繰り出しに応じてハンダ保持具内のボビン付のハンダ線コイルを円滑に回転させることができる。
【００１２】
また、前記摩擦低減部材はフッ素樹脂のシートであることが好ましい。
【００１３】
フッ素樹脂のシートは、摩擦係数が小さいので摩擦低減部材として好適である。
【００１４】
また、前記第一閉塞部と前記第二閉塞部とのうち少なくとも一方は、前記容器本体部に対して脱着可能に構成されていることが好ましい。
【００１５】
この構成によれば、少なくとも一方の閉塞部を取り外すことで、ハンダ保持具内にハンダ線コイルを収容することができるので、ハンダ保持具内へのハンダ線コイルの収容が容易である。
【００１６】
また、前記容器本体部は、透光性を有することが好ましい。
【００１７】
この構成によれば、ハンダ保持具内のハンダ線コイルの残量をユーザが目視で確認することができるので、利便性が向上する。
【００１８】
また、前記ハンダ保持具が取り付けられる対象物に前記ハンダ保持具を取り付けるための取付部材をさらに備えることが好ましい。
【００１９】
この構成によれば、ハンダ保持具を、例えば自動ハンダ装置やハンダ保持スタンドその他の機器装置等の対象物に取り付けて用いることが容易である。
【００２０】
また、本発明に係るハンダ保持スタンドは、上述のハンダ保持具と、前記取付部材によって前記ハンダ保持具が取り付けられた支柱と、前記支柱を直立させて支持する脚部とを備える。
【００２１】
この構成によれば、立設された支柱にハンダ保持具を取り付けて用いることができるので、ハンダ保持具の利便性が向上する。
【００２２】
また、本発明に係るハンダ保持スタンドは、上述のハンダ保持具と、前記ハンダ保持具を支持する支柱と、前記ハンダ保持具を、前記軸方向を略鉛直にする鉛直姿勢と、前記軸方向を水平にする水平姿勢とに切り替え可能に前記支柱に取り付ける取付機構と、前記支柱を直立させて支持する脚部とを備える。
【００２３】
この構成によれば、ハンダ保持具を、鉛直姿勢と、水平姿勢との間で姿勢変更することができる。ハンダ保持具にボビン無しのハンダ線コイルを収容して鉛直姿勢にすると、ハンダ線を上下方向に引き出すことができるので、ハンダ保持スタンドが倒れにくい。また、ハンダ保持具にボビン付ハンダ線コイルを収容して水平姿勢にすると、ボビンの鍔が容器本体部の内面と摺動するので、ハンダ線の繰り出しに応じてボビンが容易に回転する結果、ハンダ線の引き出しが容易になる。
【発明の効果】
【００２４】
このような構成のハンダ保持具、及びハンダ保持スタンドは、ボビン付のハンダ線コイルとボビン無しのハンダ線コイルとで共用することができる。
【図面の簡単な説明】
【００２５】
【図１】本発明の一実施形態に係るハンダ保持具の構成の一例を示す斜視図である。
【図２】図１に示すハンダ保持具に収容され、保持可能なハンダ線コイルの一例を示す説明図である。
【図３】本発明の一実施形態に係るハンダ保持スタンドの一例を示す斜視図である。
【図４】本発明の一実施形態に係るハンダ保持スタンドの一例を示す斜視図である。
【発明を実施するための形態】
【００２６】
以下、本発明に係る実施形態を図面に基づいて説明する。なお、各図において同一の符号を付した構成は、同一の構成であることを示し、その説明を省略する。図１は、本発明の一実施形態に係るハンダ保持具１の構成の一例を示す斜視図である。
【００２７】
図１に示すハンダ保持具１は、円筒形状を有する容器本体部２と、容器本体部２の一端側の開口部を閉塞する底部３（第一閉塞部）と、容器本体部２の他端側の開口部を閉塞するための、脱着可能な蓋体４（第二閉塞部）と、外部の構造物にハンダ保持具１を取り付けるための取付部材５とを備えている。
【００２８】
底部３の略中央部には、容器本体部２の内部空間と外部空間とを連通させる底部貫通孔３１が形成され、蓋体４の略中央部には、蓋体４を表裏に貫通する蓋体貫通孔４１が形成されている。容器本体部２の周壁には、容器本体部２の軸方向に長尺の形状を有し、容器本体部２の内部空間と外部空間とを連通させる長孔２１が形成されている。長孔２１は、複数設けられていてもよい。
【００２９】
容器本体部２は、透光性を有する材料、例えば、透明又は半透明の樹脂材料から構成されている。なお、容器本体部２と底部３とは、同じ材料で一体成形されていてもよい。容器本体部２の軸方向の長さ、あるいは蓋体４が取り付けられた状態での容器本体部２の内部空間の、軸方向の長さは、ハンダ保持具１への収容が予定されているハンダ線ボビンレスコイル１０１及びハンダ線コイル２０３のうち長い方のハンダ線コイルの軸方向の長さより、僅かに長く、例えば１ｍｍ〜２０ｍｍの範囲で長くされている。
【００３０】
容器本体部２の内径は、ハンダ保持具１への収容が予定されているハンダ線ボビンレスコイル１０１及びハンダ線コイル２０３のうち、太い方の直径より、僅かに大きく、例えば１ｍｍ〜２０ｍｍの範囲で大きくされている。
【００３１】
容器本体部２の両端近傍の内面には、摩擦を低減するための摩擦低減部材２３，２３が、周方向に沿って帯状に延びて取り付けられている。摩擦低減部材２３，２３としては、低摩擦係数を有するフッ素樹脂のシート状のテープを用いることができる。フッ素樹脂としては例えばPTFE（ポリテトラフルオロエチレン（４フッ化））、いわゆるテフロン（登録商標）を用いることができる。フッ素樹脂のシート状のテープとしては、例えば日東電工（株）製フッ素樹脂粘着テープ、ＮＩＴＯＦＬＯＮ（登録商標）を用いることができる。なお、摩擦低減部材２３，２３は、容器本体部２の内面よりも摩擦係数の小さい材料で構成されていればよく、フッ素樹脂で構成される例に限らない。また、ハンダ保持具１は、摩擦低減部材２３，２３を備えていなくてもよい。
【００３２】
蓋体４の周縁部には、底部３とは反対側の容器本体部２の端部の周縁２２と係合するように凹溝４２が形成されている。また、蓋体４には、周縁部から径方向に突出する摘まみ部４３が取り付けられている。蓋体４は、例えば柔軟性を有するポリエチレン等の樹脂材料を用いて構成されている。
【００３３】
これにより、ユーザは、凹溝４２を周縁２２と係合させるように容器本体部２に蓋体４を取り付けることにより、容器本体部２の開口部を蓋体４で閉じることができ、摘まみ部４３を摘まんで蓋体４を取り外すことで、容器本体部２の開口部を開くことができる。このように、蓋体４は、容器本体部２に対して脱着可能にされているので、蓋体４を外して容器本体部２内に後述するハンダ線ボビンレスコイル１０１又はボビン付ハンダ線コイル２０１を収容し、蓋体４を取り付けることによって、容器本体部２内に収容されたハンダ線ボビンレスコイル１０１又はボビン付ハンダ線コイル２０１をハンダ保持具１で保持することができる。
【００３４】
なお、蓋体４は、凹溝４２によって容器本体部２に取り付けられる例に限らない。蓋体４の容器本体部２への取付構造としては、例えば、ねじ構造その他、種々の取付構造を採用することができる。
【００３５】
取付部材５は、容器本体部２の周面に固着されたベース部５２と、ベース部５２から容器本体部２の径方向に延びるように取り付けられたボルト５１とを備えている。ボルト５１は、後述するハンダ保持スタンド６の支柱６１に形成された取付孔６１１に挿通可能にされている。これにより、ハンダ保持具１を取り付けようとする支柱６１（対象物）の取付孔６１１にボルト５１を挿通し、ボルト５１にナット６３を締結することによって、支柱６１にハンダ保持具１を取り付けることが可能となる。
【００３６】
図２は、図１に示すハンダ保持具１に収容され、保持可能なハンダ線コイルの一例を示す説明図である。図２（ａ）は、ボビン無しのハンダ線ボビンレスコイルの一例を示す斜視図である。図２（ｂ）は、ボビン付ハンダ線コイルの一例を示す斜視図である。図２（ａ）に示すボビン無しのハンダ線ボビンレスコイル１０１は、ハンダ線１０２が中空円柱状に巻回されたハンダ線コイル１０３と、ハンダ線コイル１０３の外表面を被覆する被覆フィルム１０４と、ハンダ線ボビンレスコイル１０１の一端側（図２（ａ）では上面）に貼付された略円形のラベル１０５とを備えている。
【００３７】
被覆フィルム１０４及びラベル１０５には、ハンダ線コイル１０３の中空部１０６の開口部に対応する位置に、開口部１０７が形成されている。図２（ａ）では図示を省略しているが、被覆フィルム１０４には、ハンダ線コイル１０３の中空部１０６の図中下側の開口部に対応する位置にも、開口部が形成されている。
【００３８】
これにより、ハンダ線ボビンレスコイル１０１は、中空部１０６からハンダ線１０２を引き出して、被覆フィルム１０４やラベル１０５の開口部を通して外部にハンダ線１０２を引き出し可能にされている。
【００３９】
なお、ハンダ保持具１は、必ずしも被覆フィルムで被覆されたハンダ線ボビンレスコイルを収容する例に限られない。例えば、被覆フィルム１０４で被覆されないハンダ線コイル１０３を単体でハンダ保持具１に収容してもよい。
【００４０】
図２（ｂ）に示すボビン付ハンダ線コイル２０１は、例えば樹脂のボビン２０２と、ボビン２０２にハンダ線１０２が巻回されたハンダ線コイル２０３とを備えている。ボビン２０２は、円筒状をした芯部２０４と、この芯部２０４の両端に略直角に設けられた円盤状をした鍔部２０５，２０５とを一体に有している。ボビン付ハンダ線コイル２０１は、図２（ｂ）に示すように、ハンダ線コイル２０３の外周からハンダ線１０２を引き出すようになっている。なお、ボビン付ハンダ線コイル２０１は、ハンダ線ボビンレスコイル１０１に後からボビンを取り付けてボビン付ハンダ線コイル２０１とされたものであってもよい。
【００４１】
図３、図４は、本発明の一実施形態に係るハンダ保持スタンドの一例を示す斜視図である。図３、図４に示すハンダ保持スタンド６は、図１に示すハンダ保持具１と、ハンダ保持具１を支持する支柱６１と、ハンダ保持具１の軸方向を略鉛直にする鉛直姿勢とその軸方向を水平にする水平姿勢とに切り替え可能にハンダ保持具１を支柱６１に取り付ける取付孔６１１及びナット６３（図１参照）と、支柱６１を直立させて支持する脚部６２とを備えている。取付孔６１１及びナット６３は、取付機構の一例に相当している。
【００４２】
図３に示す例では、ハンダ保持具１内に、ハンダ線ボビンレスコイル１０１が収容、保持されている状態を示している。図３では、ハンダ保持具１の軸方向が、略鉛直となる鉛直姿勢になるように、ハンダ保持具１の姿勢が設定された状態で、ボルト５１にナット６３が締結されている。
【００４３】
支柱６１は、例えば扁平な金属棒等で構成されている。脚部６２は、ハンダ保持具１内に収容されたハンダ線コイルの重量でハンダ保持スタンド６が倒れないように、例えばハンダ保持具１内に収容されるハンダ線コイルよりも重い金属板などで構成されている。
【００４４】
なお、ハンダ保持具１は、必ずしもハンダ保持スタンド６として構成される例に限られず、支柱６１に取り付けられる例に限らない。ハンダ保持具１が取り付けられる対象物は、例えば自動ハンダ装置のフレーム等であってもよい。また、取付部材はボルトを用いるものに限らない。取付部材は、例えば、ハンダ保持具１を取付対象物から吊り下げるフックや、ワイヤー等であってもよい。また、ハンダ保持具１は、取付部材を備えていなくてもよい。
【００４５】
ハンダ保持スタンド６及びハンダ保持具１によれば、図３に示すように、ハンダ保持具１によってハンダ線ボビンレスコイル１０１を保持し、底部３に設けられた底部貫通孔３１からハンダ線１０２を引き出して、手ハンダを行う作業者や自動ハンダ装置に供給することができる。また、蓋体４に設けられた蓋体貫通孔４１からハンダ線１０２を引き出して、手ハンダを行う作業者や自動ハンダ装置に供給してもよい。
【００４６】
ここで、取付部材５、ナット６３及び取付孔６１１（取付機構）によれば、ハンダ保持具１を鉛直姿勢にできるので、ハンダ線１０２を上下方向に引き出すことができる。ハンダ線１０２を水平方向に引き出すと、引き出す際にハンダ保持スタンド６に対して水平方向の力が加わるので、ハンダ保持スタンド６が倒れやすくなる。一方、ハンダ保持具１を鉛直姿勢にしてハンダ線１０２を上下方向に引き出すようにすれば、ハンダ線１０２の引き出し時にハンダ保持スタンド６が倒れにくくなる。
【００４７】
図４は、ハンダ保持具１内に、ボビン付ハンダ線コイル２０１が収容、保持されている状態を示している。図４では、ハンダ保持具１の軸方向が、略水平となる水平姿勢になるように、ハンダ保持具１の姿勢が設定された状態で、ボルト５１にナット６３が締結されている。図３、図４に示すように、ボルト５１、取付孔６１１、及びナット６３は、ハンダ保持具１の姿勢を鉛直姿勢と水平姿勢とで切り替え可能にされている。
【００４８】
図４に示すように、ハンダ保持具１内にボビン付ハンダ線コイル２０１を収容して水平姿勢にすると、ボビン２０２の鍔部２０５，２０５が、容器本体部２内面の摩擦低減部材２３，２３の上に乗るようになっている。すなわち、ハンダ保持具１の長さがボビン２０２の軸方向の長さ、すなわちボビン付ハンダ線コイル２０１の長さよりも僅かに長くされており、ハンダ保持具１に収容されたボビン付ハンダ線コイル２０１の鍔部２０５，２０５の位置と、容器本体部２の両端近傍の内面に配設された摩擦低減部材２３，２３の位置とが対応するようになっている。
【００４９】
この状態で長孔２１からハンダ線１０２を引き出すと、ハンダ線１０２を繰り出すようにボビン付ハンダ線コイル２０１が回転し、鍔部２０５，２０５が摩擦低減部材２３，２３に対して摺動する。このとき、摩擦低減部材２３，２３によって、鍔部２０５，２０５と摩擦低減部材２３，２３との摩擦が低減される結果、スムーズにボビン付ハンダ線コイル２０１が回転することができるので、ボビン付ハンダ線コイル２０１から円滑にハンダ線１０２を供給することが可能となる。
【００５０】
また、長孔２１の長さがボビン付ハンダ線コイル２０１の長さ以上にされているので、ボビン付ハンダ線コイル２０１の長さ方向全域に渡って、ボビン付ハンダ線コイル２０１から長孔２１を通してハンダ線１０２をスムーズに引き出すことができる。また、容器本体部２は、透光性を有する材料で構成されているので、ユーザは、ハンダ保持具１内に収容されたハンダ線ボビンレスコイル１０１又はボビン付ハンダ線コイル２０１のハンダ線１０２の残量を目視で確認することができる。
【００５１】
なお、摩擦低減部材２３，２３は、図４に示すように、水平姿勢のときに鍔部２０５，２０５を受け止めるように、下側に設けられていればよい。しかしながら、水平姿勢のときに上下となる両側に設けることで、ハンダ保持具１を上下逆向きの水平姿勢にした場合であってもボビン付ハンダ線コイル２０１からハンダ線１０２をスムーズに引き出せる。あるいは、摩擦低減部材２３，２３は、容器本体部２の内周面を周回するように設けられていてもよい。
【００５２】
このように、ハンダ保持スタンド６及びハンダ保持具１によれば、ハンダ保持具１によってボビン付ハンダ線コイル２０１を保持し、容器本体部２に設けられた長孔２１からハンダ線１０２を引き出して、手ハンダを行う作業者や自動ハンダ装置に供給することができる。すなわち、ハンダ保持具１は、ボビン付のハンダ線コイルとボビン無しのハンダ線コイルとで共用することができ、ハンダ保持スタンド６は、このようなハンダ保持具１を支持することができる。
【００５３】
なお、ハンダ保持スタンド６は、必ずしもハンダ保持具１を鉛直姿勢と水平姿勢とで切り替え可能でなくてもよい。ハンダ線ボビンレスコイル１０１を収容したハンダ保持具１は、水平姿勢でも使用可能であり、ハンダ保持スタンド６は、ハンダ保持具１を固定的に水平姿勢で保持するものであってもよい。また、容器本体部２は、必ずしも透光性を有する材料で構成される例にかぎらない。また、長孔２１の長さは、必ずしもボビン付ハンダ線コイル２０１の長さ以上でなくてもよい。
【００５４】
また、底部３及び蓋体４の両方に貫通孔が設けられる例を示したが、底部３と蓋体４とのうち少なくとも一方に貫通孔が設けられていればよく、両方に設けられる例に限らない。また、底部３が容器本体部２と一体に構成されている例を示したが、底部３も、蓋体４と同様の構成により容器本体部２に対して脱着可能にされていてもよい。
【符号の説明】
【００５５】
１    ハンダ保持具
２    容器本体部
３    底部（第一閉塞部）
４    蓋体（第二閉塞部）
５    取付部材
６    ハンダ保持スタンド
２１  長孔
２２  周縁
２３，２３  摩擦低減部材
３１  底部貫通孔
４１  蓋体貫通孔
４２  凹溝
４３  摘まみ部部
５１  ボルト
５２  ベース部
６１  支柱（対象物）
６２  脚部
６３  ナット(取付機構)
１０１      ハンダ線ボビンレスコイル
１０２      ハンダ線
１０３      ハンダ線コイル
１０４      被覆フィルム
１０５      ラベル
１０６      中空部
１０７      開口部
２０１      ボビン付ハンダ線コイル
２０２      ボビン
２０３      ハンダ線コイル
２０４      芯部
２０５，２０５    鍔部
６１１      取付孔(取付機構)
【図１】
0006558309.tif 000002
【図２】
0006558309.tif 000003
【図３】
0006558309.tif 000004
【図４】
0006558309.tif 000005